(57)【要約】【課題】多様な体型に対応することができるとともに、脱着が容易であり、且つ衛生的であることが求められる用途にも好適に用いることができる前掛けを提供する。【解決手段】前掛け１０は、前掛本体１１と、伸縮装着帯１５と、装着帯結合部１６と、フロントリリースバックル１７とを備える。フロントリリースバックル１７は、プラグ１８及びソケット１９を有し、プラグ１８がソケット１９に挿入されるとプラグ１８及びソケット１９が係合する一方、プラグ１８及びソケット１９が係合した状態でソケット１９の前面の係合解除ボタン１９１ａが押されると、プラグ１８及びソケット１９の係合を解除してプラグ１８をソケット１９から引き抜き可能とする。【選択図】図１Ａ
0003222012.tif 000002
【実用新案登録請求の範囲】
【請求項１】
着用者の正面側を覆うシート状の前掛本体と、
前記前掛本体に、その一方の側辺部の縦方向の中間部から側方に延びるように一体に設けられた伸縮可能な伸縮装着帯と、
前記前掛本体に、その他方の側辺部の縦方向の中間部に一体に設けられた装着帯結合部と、
前記伸縮装着帯及び前記装着帯結合部のうちの一方に取り付けられたプラグ及び他方に取り付けられたソケットを有し、前記プラグが前記ソケットに挿入されると前記プラグ及び前記ソケットが係合する一方、前記プラグ及び前記ソケットが係合した状態で前記ソケットの前面の係合解除ボタンが押されると、前記プラグ及び前記ソケットの係合を解除して前記プラグを前記ソケットから引き抜き可能とするフロントリリースバックルと、
を備えたことを特徴とする前掛け。
【請求項２】
請求項１に記載された前掛けにおいて、
前記伸縮装着帯が前記前掛本体と重なるように設けられた伸縮可能な部分を含むとともに、前記プラグ又は前記ソケットの前記伸縮装着帯への取付位置が可変に構成されていることを特徴とする前掛け。
【考案の詳細な説明】
【技術分野】
【０００１】
本考案は、前掛けに関する。
【背景技術】
【０００２】
前掛けの装着手段について、多くの提案がなされている。例えば、特許文献１には、シート状の前掛本体を、着用者の正面側の胸部乃至脚部を覆うように位置付けるとともに、前掛本体の一方の側辺部から側方に延びる伸縮帯を、着用者の背面側の腰部に巻き付け、そして、伸縮帯に設けられた第１面ファスナを、前掛本体の他方の側辺部に設けられた第２面ファスナに係合させて着用者に装着することが開示されている。
【先行技術文献】
【特許文献】
【０００３】
【特許文献１】特開２０１４−１０１６２２号公報
【考案の概要】
【考案が解決しようとする課題】
【０００４】
面ファスナを用いて装着する前掛けは、その脱着が容易であるものの、面ファスナにゴミ等が付着しやすいため、衛生的であることが求められる用途には不向きである。
【０００５】
本考案の課題は、多様な体型に対応することができるとともに、脱着が容易であり、且つ衛生的であることが求められる用途にも好適に用いることができる前掛けを提供することである。
【課題を解決するための手段】
【０００６】
本考案は、着用者の正面側を覆うシート状の前掛本体と、前記前掛本体に、その一方の側辺部の縦方向の中間部から側方に延びるように一体に設けられた伸縮可能な伸縮装着帯と、前記前掛本体に、その他方の側辺部の縦方向の中間部に一体に設けられた装着帯結合部と、前記伸縮装着帯及び前記装着帯結合部のうちの一方に取り付けられたプラグ及び他方に取り付けられたソケットを有し、前記プラグが前記ソケットに挿入されると前記プラグ及び前記ソケットが係合する一方、前記プラグ及び前記ソケットが係合した状態で前記ソケットの前面の係合解除ボタンが押されると、前記プラグ及び前記ソケットの係合を解除して前記プラグを前記ソケットから引き抜き可能とするフロントリリースバックルとを備えたことを特徴とする前掛けである。
【考案の効果】
【０００７】
本考案の前掛けによれば、伸縮装着帯を用いて装着するので、多様な体型に対応することができ、また、フロントリリースバックルを用いているので、脱着が容易であり、更に、ゴミ等が付着する面ファスナを用いていないので、衛生的であることが求められる用途にも好適に用いることができる。
【図面の簡単な説明】
【０００８】
【図１Ａ】実施形態に係る前掛けの正面図である。
【図１Ｂ】実施形態に係る前掛けの背面図である。
【図２Ａ】実施形態に係る前掛けにおける、各々、前掛本体に一体に設けられた伸縮装着帯及び装着帯結合部とフロントリリースバックルとを示す正面図である。
【図２Ｂ】実施形態に係る前掛けにおける、各々、前掛本体に一体に設けられた伸縮装着帯及び装着帯結合部とフロントリリースバックルとを示す部分断面図である。
【図３Ａ】実施形態に係る前掛けにおけるフロントリリースバックルのプラグ及びソケットを係合させた状態を示す正面図である。
【図３Ｂ】実施形態に係る前掛けにおけるフロントリリースバックルのプラグ及びソケットを係合させた状態を示す部分断面図である。
【図４】実施形態に係る前掛けにおけるフロントリリースバックルのプラグ及びソケットの係合を解除する状態を示す部分断面図である。
【図５Ａ】実施形態に係る前掛けを着用者が装着する状態を示す正面側斜視図である。
【図５Ｂ】実施形態に係る前掛けを着用者が装着する状態を示す背面側斜視図である。
【図６Ａ】実施形態に係る前掛けを着用者が前掛本体の胸部対応部分を前面側に折り返して装着した状態を示す正面側斜視図である。
【図６Ｂ】実施形態に係る前掛けを着用者が前掛本体の胸部対応部分を前面側に折り返して装着して屈んで作業する状態を示す側面側斜視図である。
【考案を実施するための形態】
【０００９】
以下、実施形態について図面に基づいて詳細に説明する。
【００１０】
図１Ａ及びＢは、実施形態に係る前掛け１０を示す。実施形態に係る前掛け１０は、例えば魚市場等の水を多く使用する作業を行う場合において、衣服の汚れを防止するとともに防水のために装着されるものである。
【００１１】
実施形態に係る前掛け１０は、シート状の前掛本体１１を備える。前掛本体１１は、シート部分が例えば塩化ビニル等の樹脂シートで構成されている。前掛本体１１は、上部の胸部対応部分１１ａが略横長楕円の上半分形状、及び下部の脚部対応部分１１ｂが、下側両角部が丸みを有する略矩形状にそれぞれ形成されており、全周縁にパイピング１１ｃが施されている。
【００１２】
前掛本体１１の胸部対応部分１１ａには、各々、縦方向に延びる一対の縦添部材１２が横方向に間隔をおいて並行に延びるように配設されている。各縦添部材１２は、縦方向に間隔をおいて直列に並ぶように配設された一対のロッド材１２ａで構成されている。各ロッド材１２ａは、ポリエチレン樹脂等の樹脂ロッドで構成されている。各縦添部材１２の一対のロッド材１２ａは、前掛本体１１の背面に接触するように設けられた後、その上から前掛本体１１のシート部分と同じ材質の短冊状のロッドカバーシート１３が被せられ、そのロッドカバーシート１３の外周部及びロッド材１２ａ間の対応部がウェルダ加工により前掛本体１１に溶接され、それにより前掛本体１１とロッドカバーシート１３との間に封入されている。
【００１３】
前掛本体１１の背面側の胸部対応部分１１ａと脚部対応部分１１ｂとの間の部分には、前掛本体１１のシート部分と同じ材質の幅広帯状の補強シート１４が、前掛本体１１の両側辺部間を横方向に延びるように設けられているとともに、その外周部がウェルダ加工により前掛本体１１に溶接されている。
【００１４】
実施形態に係る前掛け１０は、図２Ａ及びＢに示すように、各々、前掛本体１１に一体に設けられた伸縮装着帯１５及び装着帯結合部１６と樹脂製のフロントリリースバックル１７とを備える。
【００１５】
伸縮装着帯１５は、伸縮可能な例えば衣料用の幅広ゴムで構成されている。伸縮装着帯１５の基端部は、前掛本体１１の一方の側辺の縦方向の中間部である腹部乃至腰部対応部から他方側に所定間隔をおいた位置に形成された縦長の長孔１１ｄに前面側から通され、前掛本体１１と補強シート１４との間に挟まれるように設けられ、補強シート１４に縫い付けられている。したがって、これにより、伸縮装着帯１５は、補強シート１４を介して、前掛本体１１に、その一方の側辺部の縦方向の中間部である腹部乃至腰部対応部から側方に延びるように一体に設けられている。また、伸縮装着帯１５は、前掛本体１１と重なるように設けられた伸縮可能な部分を含む。
【００１６】
装着帯結合部１６は、前掛本体１１のシート部分と同じ材質の非伸縮性の細幅帯状シートで構成されている。装着帯結合部１６の一端部及び他端部は、それらが重ねられて前掛本体１１の背面側の他方の側辺部の縦方向の中間部に設けられた補強シート１４上に載せられてウェルダ加工により溶接されている。したがって、これにより、装着帯結合部１６は、補強シート１４を介して、前掛本体１１に、その他方の側辺部の縦方向の中間部である腹部乃至腰部対応部に一体に設けられている。また、装着帯結合部１６は、ループを形成している。
【００１７】
フロントリリースバックル１７は、伸縮装着帯１５及び装着帯結合部１６にそれぞれ取り付けられたプラグ１８及びソケット１９を有する
プラグ１８は、先端側の板状のプラグ本体１８１と、基端側の帯材取付部１８２とを含む。プラグ本体１８１の先端には、背面側に突出するように形成された係合爪１８１ａが設けられている。帯材取付部１８２には、一対の長孔の帯材挿通孔１８２ａが幅方向に並行に延びるように設けられている。プラグ１８は、伸縮装着帯１５の先端側の部分が、帯材取付部１８２のプラグ本体１８１側の一方の帯材挿通孔１８２ａに、背面側から挿通されて折り返され、他方の帯材挿通孔１８２ａに、前面側から挿通されて前掛本体１１側に延びるように配索されることにより、伸縮装着帯１５に取り付けられている。したがって、これにより、プラグ１８は、伸縮装着帯１５への取付位置が可変に構成されている。
【００１８】
ソケット１９は、先端側の中空のソケット本体１９１と、基端側の帯材取付部１９２とを含む。ソケット本体１９１の先端面には、図示しないスリット状のプラグ挿入口が設けられている。ソケット本体１９１の前面には、先端側が支持された板バネ状の係合解除ボタン１９１ａが設けられている。ソケット本体１９１の内部には、先端側の背面部に支持されて前面側に斜めに延びる板バネ状の係合部１９１ｂが設けられている。係合解除ボタン１９１ａの背面側には、係合部１９１ｂに当接する係合部押圧片１９１ｃが設けられている。帯材取付部１９２には、長孔の帯材挿通孔１９２ａが幅方向に延びるように設けられている。ソケット１９は、装着帯結合部１６が帯材取付部１９２の帯材挿通孔１９２ａに挿通されてループを形成していることにより、装着帯結合部１６に取り付けられている。
【００１９】
フロントリリースバックル１７は、図３Ａ及びＢに示すように、プラグ１８のプラグ本体１８１がソケット１９のソケット本体１９１にプラグ挿入口から挿入されると、プラグ１８のプラグ本体１８１先端の係合爪１８１ａ及びソケット１９のソケット本体１９１内の係合部１９１ｂが係合し、これにより伸縮装着帯１５を装着帯結合部１６に結合する。一方、フロントリリースバックル１７は、図４に示すように、プラグ１８及びソケット１９が係合した状態でソケット１９のソケット本体１９１前面の係合解除ボタン１９１ａが押されると、係合部押圧片１９１ｃが係合部１９１ｂを背面側に押し下げ、プラグ１８及びソケット１９の係合を解除してプラグ１８のプラグ本体１８１をソケット１９のソケット本体１９１から引き抜き可能とし、これにより伸縮装着帯１５の装着帯結合部１６への結合を解除する。
【００２０】
実施形態に係る前掛け１０は、図５Ａに示すように、前掛本体１１を、着用者Ｐの胸部乃至脚部を覆うように位置付けた後、図５Ｂに示すように、伸縮装着帯１５を、着用者Ｐの背面側の腰部に巻き付けるとともに、伸縮装着帯１５に取り付けられたフロントリリースバックル１７のプラグ１８のプラグ本体１８１を、装着帯結合部１６に取り付けられたソケット１９のソケット本体１９１にプラグ挿入口から挿入し、プラグ１８のプラグ本体１８１先端の係合爪１８１ａ及びソケット１９のソケット本体１９１内の係合部１９１ｂを係合させて、伸縮装着帯１５を装着帯結合部１６に結合させることにより、着用者Ｐの胸部乃至脚部を覆うように装着される。一方、実施形態に係る前掛け１０を取り外すときには、背面側に手を回し、ソケット１９のソケット本体１９１前面の係合解除ボタン１９１ａを押し、係合部押圧片１９１ｃで係合部１９１ｂを背面側に押し下げ、プラグ１８及びソケット１９の係合を解除してプラグ１８のプラグ本体１８１をソケット１９のソケット本体１９１から引き抜き、伸縮装着帯１５の装着帯結合部１６への結合を解除すればよい。
【００２１】
以上の構成の実施形態に係る前掛け１０によれば、伸縮可能な伸縮装着帯１５を用いて装着するので、多様な体型に対応することができる。つまり、腰周りの小さい着用者Ｐの場合には、伸縮装着帯１５の伸びがない乃至小さい状態で装着することができる一方、腰周りの大きい着用者Ｐの場合には、その大きさに応じて伸縮装着帯１５が伸びた状態で装着することができる。しかも、伸縮装着帯１５が前掛本体１１と重なるように設けられた伸縮可能な部分を含むとともに、プラグ１８の伸縮装着帯１５への取付位置が可変に構成されているので、伸縮装着帯１５の伸縮可能な有効長を広範囲で自在に設定することができ、これにより幅広い体型に対応することができる。なお、ソケット１９が伸縮装着帯１５に取り付けられている場合には、ソケット１９の伸縮装着帯１５への取付位置が可変に構成されていればよい。
【００２２】
また、実施形態に係る前掛け１０によれば、フロントリリースバックル１７を用いているので、容易に脱着することができ、特に容易に取り外しを行うことができる。例えば、フロントリリースバックル１７に代えて、幅方向に両側から押圧してプラグ及びソケットの係合を解除するサイドリリースバックルを用いた場合、前掛け１０を取り外すとき、伸縮装着帯１５が伸びているので、サイドリリースバックルには長さ方向の引っ張り力が負荷され、プラグ及びソケットが強固に係合するため、それを解除するのに高い押圧力を必要とし、しかもそれを背面側に手を回して行わなければならず、前掛け１０の取り外し操作が困難を伴う。しかしながら、実施形態に係る前掛け１０によれば、フロントリリースバックル１７を用いているので、背面側に手を回してソケット１９の係合解除ボタン１９１ａを押すだけで、プラグ１８及びソケット１９の強固な係合も、比較的低い押圧力で容易に解除することができる。
【００２３】
さらに、実施形態に係る前掛け１０によれば、ゴミ等が付着する面ファスナを用いていないので、衛生的であることが求められる食料品等を扱う用途にも好適に用いることができる。
【００２４】
また、実施形態に係る前掛け１０によれば、胸部対応部分１１ａと脚部対応部分１１ｂとの間の部分に補強シート１４が設けられているので、補強シート１４が胴回りに配置されることにより、安定した装着感を得ることができる。
【００２５】
また、実施形態に係る前掛け１０によれば、着用者Ｐの首に掛ける首提げ紐が設けられていないので、着用者Ｐの作業性を高めるとともに肩凝りを防止することができる。加えて、首提げ紐が設けられていないものの、前掛本体１１の胸部対応部分１１ａに縦添部材１２が配設されているので、胸部対応部分１１ａが縦添部材１２によって支持され、そのため胸部対応部分１１ａが自重で撓んで前垂れ状態になるのを規制することができる。
【００２６】
また、実施形態に係る前掛け１０によれば、図６Ａに示すように、使用状況に応じて前掛本体１１の胸部対応部分１１ａを前面側に折り返せば、着用者Ｐの上半身の自由度が高まり、作業性をより高めることができる。加えて、この場合、縦添部材１２が、縦方向に間隔をおいて直列に並ぶように配設された一対のロッド材１２ａで構成されているので、屈んで作業しても、図６Ｂに示すように、縦添部材１２が、それを構成する一対のロッド材１２ａの間で折れ、そのため縦添部材１２によるつかえが生じず、良好な作業性を得ることができる。なお、胸部対応部分１１ａを、上側のロッド材１２ａと下側のロッド材１２ａとの間の部分で折り返すこともできる。
【００２７】
上記実施形態では、フロントリリースバックル１７のプラグ１８及びソケット１９がそれぞれ伸縮装着帯１５及び装着帯結合部１６に取り付けられた構成としたが、特にこれに限定されるものではなく、逆に、プラグ１８及びソケット１９がそれぞれ装着帯結合部１６及び伸縮装着帯１５に取り付けられた構成であってもよい。
【００２８】
上記実施形態では、装着帯結合部１６が非伸縮性である構成としたが、特にこれに限定されるものではなく、装着帯結合部１６が、伸縮装着帯１５と同様の伸縮性を有する帯材である構成であってもよい。
【００２９】
上記実施形態では、前掛け１０が着用者Ｐの胸部乃至脚部を覆うように装着される構成としたが、特にこれに限定されるものではなく、腰部乃至脚部を覆うように装着される構成であってもよい。
【符号の説明】
【００３０】
Ｐ  着用者
１０  前掛け
１１  前掛本体
１５  伸縮装着帯
１６  装着帯結合部
１７  フロントリリースバックル
１８  プラグ
１９  ソケット
１９１ａ  係合解除ボタン
【図１Ａ】
0003222012.tif 000003
【図１Ｂ】
0003222012.tif 000004
【図２Ａ】
0003222012.tif 000005
【図２Ｂ】
0003222012.tif 000006
【図３Ａ】
0003222012.tif 000007
【図３Ｂ】
0003222012.tif 000008
【図４】
0003222012.tif 000009
【図５Ａ】
0003222012.tif 000010
【図５Ｂ】
0003222012.tif 000011
【図６Ａ】
0003222012.tif 000012
【図６Ｂ】
0003222012.tif 000013